(57)【要約】【課題】発信元（録音元）からの要求によって、音声メッセージの録音があることを通知することが可能な留守番電話装置を提供する。【解決手段】上記課題を解決するために、本発明は、着信が到来すると、当該着信に自動応答し、発信元からの音声メッセージの録音を開始し、前記着信の発信元から予め定められたアラーム鳴動時刻に係る特定信号の受信を検出したならば、発信元からの音声メッセージの録音を停止し、前記音声メッセージとアラーム鳴動時刻を対応付けて記憶し、記録したアラーム鳴動時刻が到来すると、アラームを鳴動し、未再生の音声メッセージがあることを通知する。【選択図】図１
2016208141.tif 000002
【特許請求の範囲】
【請求項１】
着信に自動応答して発信元からの音声メッセージを録音する留守番電話装置において、
着信が到来し、当該着信に自動応答して、発信元からの音声メッセージの録音を開始すると、前記着信の発信元から予め定められた特定信号が受信するのを監視する特定信号受信監視手段と、
前記特定信号の受信を検出したならば、発信元からの音声メッセージの録音を停止し音声メッセージを記録し、発信元から当該音声メッセージのアラーム鳴動時刻に係る特定信号を受信するアラーム鳴動時刻受信手段と、
前記アラーム鳴動時刻受信手段によってアラーム鳴動時刻に係る特定信号を受信すると、前記音声メッセージとアラーム鳴動時刻を対応付けて記憶する音声メッセージ記録手段と、を有し、
前記音声メッセージ記録手段に記録したアラーム鳴動時刻が到来すると、アラームを鳴動し、未再生の音声メッセージがあることを通知することを特徴とする発信元からのアラーム鳴動時刻設定機能を有する留守番電話装置。
【請求項２】
請求項１に記載の留守番電話装置において、
アラーム鳴動中に、アラーム停止操作の有無を監視し、前記アラーム停止操作を検出できない場合に、当該音声メッセージの発信元電話番号に自動発信する自動発信手段をさらに有し、
当該着信の発信元へ音声メッセージ未再生のガイダンスを送出することを特徴とする発信元からのアラーム鳴動時刻設定機能を有する留守番電話装置。
【発明の詳細な説明】
【技術分野】
【０００１】
本発明は、発信元（録音元）からの要求に応じて録音した音声メッセージにアラーム鳴動時刻を設定可能な留守番電話装置に関する。
【背景技術】
【０００２】
特許文献１には、音声メッセージの録音を検出すると、留守番電話装置は、音声メッセージがあることをメール通知手段により通知する技術が記載されている。これにより、録音された音声メッセージがあることを発信先（録音先）に認識させ、未再生音声メッセージの再生確率を高めることができる。
【０００３】
しかしながら、特許文献１の技術では、音声メッセージがあることを通知するために、メール通知手段を用いるため、通知先の装置でのメール受信手段を必要とし、留守番電話装置のみでは音声メッセージの録音があることを通知できない。
【０００４】
また、特許文献１の技術では、音声メッセージの録音があることを即時通知してしまうため、発信元（録音元）の意図するタイミングで通知できない。例えば、芸能人のマネージャーが、予め芸能人のスケジュールを留守番電話装置へ音声メッセージ録音しておき、その期日に芸能人へ伝えたいと言う場合に不便である。
【先行技術文献】
【特許文献】
【０００５】
【特許文献１】特開２０１３−９０１８６号公報
【発明の概要】
【発明が解決しようとする課題】
【０００６】
本発明は上記問題を鑑みてなされたものであり、その課題は、発信元（録音元）からの要求によって、音声メッセージの録音があることを通知することが可能な留守番電話装置を提供することにある。
【課題を解決するための手段】
【０００７】
上記課題を解決するために、本発明は、着信に自動応答して発信元からの音声メッセージを録音する留守番電話装置において、着信が到来し、当該着信に自動応答して、発信元からの音声メッセージの録音を開始すると、前記着信の発信元から予め定められた特定信号が受信するのを監視する特定信号受信監視手段と、前記特定信号の受信を検出したならば、発信元からの音声メッセージの録音を停止し音声メッセージを記録し、発信元から当該音声メッセージのアラーム鳴動時刻に係る特定信号を受信するアラーム鳴動時刻受信手段と、前記アラーム鳴動時刻受信手段によってアラーム鳴動時刻に係る特定信号を受信すると、前記音声メッセージとアラーム鳴動時刻を対応付けて記憶する音声メッセージ記録手段と、を有し、前記音声メッセージ記録手段に記録したアラーム鳴動時刻が到来すると、アラームを鳴動し、未再生の音声メッセージがあることを通知することを特徴とする。
【発明の効果】
【０００８】
本発明によれば、留守番電話装置は、録音中または録音後に発信元（録音元）から特定信号を受信すると、アラーム鳴動時刻設定モードに移行し、特定信号に該当する日時を鳴動時刻として設定する。
【０００９】
これにより、留守番電話装置のみで、発信元（録音元）が録音した音声メッセージをアラーム通知することができる。また、アラーム鳴動時刻を自由に設定できるため、発信元（録音元）が意図する時刻にアラームを鳴動させることができる。
【図面の簡単な説明】
【００１０】
【図１】図１は、本発明のアラーム機能を有する留守番電話装置のシステム全体構成図および、機能ブロック図である。
【図２】図２は、本発明のアラーム設定の動作フローチャートである。
【図３】図３は、本発明のアラーム鳴動の動作フローチャートである。
【発明を実施するための形態】
【００１１】
以下、本発明を実施する形態について、図面を用いて説明する。
【００１２】
図１は、本発明のアラーム機能を有する留守番電話装置のシステム全体構成図および、機能ブロック図である。
【００１３】
図示するように、本発明の電話システムは、電話網２に接続し本発明の発明対象である着信電話機１と、発信電話機３から構成される。
【００１４】
着信電話機１は、留守録機能と、ＤＴＭＦ（Ｄｕａｌ−Ｔｏｎｅ  Ｍｕｌｔｉ−Ｆｒｅｑｕｅｎｃｙ）検出機能を介して未再生音声メッセージに対してのアラーム設定機能と、アラーム設定日時到来によるアラーム鳴動機能と、アラーム鳴動実施結果を着信電話機１へ通知するアラーム通知確認結果通知機能を有する電話装置である。
【００１５】
発信電話機３は、電話網２を経由して着信電話機１に発信する電話機である。
【００１６】
次に着信電話機１の機能ブロック図について説明する。図示するように、着信電話機１は、通信制御部１０１、端末制御部１０２、発信元電話番号抽出部１０３、音声ガイダンス送出部１０４、ＤＴＭＦ検出部１０５、音声メッセージ保存部１０６、表示部１０７、操作部１０８、呼出鳴動部１０９とから構成される。
【００１７】
通信制御部１０１は電話網２と接続され、端末制御部１０２からの制御に基づき発信、着信、通話等の通話に係る呼制御全般ならびにデータ通信に係る通信制御全般を行う。
【００１８】
端末制御部１０２は装置内の各ブロックと接続し、端末に係る制御全般を行う。
【００１９】
発信元電話番号抽出部１０３は端末制御部１０２からの着信を監視し、着信を検出すると、着信の相手電話番号（以降、発信元電話番号と呼称）を抽出し、端末制御部１０２に渡す。
【００２０】
音声ガイダンス送出部１０４は複数の音声ガイダンス（定型）を記憶し、端末制御部１０２からの指示に応じて対応する音声ガイダンスを、通信制御部１０１を介して発信元へ送出する。複数の音声ガイダンスとして、本実施例ではＤＴＭＦ信号を用いた各操作の処理内容を説明する旨の操作ガイダンスと、録音を開始する旨の録音開始ガイダンスと、発信元へ録音した音声メッセージが未再生であることを説明する留守録未再生ガイダンスと、がある。
【００２１】
ＤＴＭＦ検出部１０５はＤＴＭＦ信号の検出部であり、通信制御部１０１からのＤＴＭＦ信号を検出することで端末制御部１０２を介してＤＴＭＦ信号パターンに応じた各制御処理を行う。
【００２２】
音声メッセージ保存部１０６は端末制御部１０２により発信電話機３により録音された音声メッセージの保存を行う音声メッセージ保存部であり、音声メッセージの保存の他に、発信元電話番号、アラーム鳴動時刻の保存を行う。ＤＴＭＦ検出部１０５によりアラーム鳴動時刻設定のＤＴＭＦ信号パターンを検知した場合に端末制御部１０２を介して保存された音声メッセージにアラーム鳴動時刻を対応付け保存を行う。
【００２３】
表示部１０７はＬＥＤやＬＣＤ等の表示デバイスを含む表示器であり、端末制御部１０２からの制御に応じて、文字や図形を表示する。
【００２４】
操作部１０８はテンキーやファンクションキー等のキー入力部であり、キー押下によるキー情報を端末制御部１０２に渡す。
【００２５】
呼出鳴動部１０９は着信の存在を利用者に知らせる着信鳴動音を発するスピーカであり、端末制御部１０２からの制御に応じて鳴動する。
【００２６】
図２は、本発明の着信電話機１のアラーム設定時の動作フローチャートである。本フローは、着信電話機１の電源が投入され、着信およびユーザからの操作を受付け可能な状態から開始する。
【００２７】
着信電話機１は、発信電話機３からの着信を受信する（Ｓ２０１）またはアラーム設定された未再生の音声メッセージが保存される（Ｓ２１３）の何れかを待つ。
【００２８】
発信電話機３からの着信を受信した場合（Ｓ２０１：Ｙｅｓ）、着信電話機１は、受信した着信から発信元電話番号の取得を行う（Ｓ２０２）。
【００２９】
発信元電話番号取得後（Ｓ２０２）、事前に留守録設定がなされ留守録モードを起動していた場合（Ｓ２０３：Ｙｅｓ）、着信電話機１は、発信電話機３からの着信に対して、自動応答し、操作ガイダンスと録音開始ガイダンスを送出し、音声メッセージの録音を開始する（Ｓ２０４）。
【００３０】
留守応答処理後（Ｓ２０４）、着信電話機１は、発信電話機３からの切断要求を受信する（Ｓ２０５）または発信電話機３からのＤＴＭＦ信号（時刻情報）を検出する（Ｓ２０６）の何れかを待つ。
【００３１】
発信電話機３からの切断要求を受信した場合（Ｓ２０５：Ｙｅｓ）、着信電話機１は、音声メッセージ録音の停止処理を行う（Ｓ２０７）。
【００３２】
音声メッセージ録音の停止処理後（Ｓ２０７）、着信電話機１は、録音した音声メッセージを記憶する（Ｓ２０８）。音声メッセージの記憶処理後（Ｓ２０８）、着信電話機１は、発信電話機３との通話の終話処理を行い（Ｓ２０９）、ステップ２０１へ移行し、着信待ちの状態となる。
【００３３】
着信電話機１は、発信電話機３からのＤＴＭＦ信号（時刻情報）を検出した場合（Ｓ２０６：Ｙｅｓ）、音声メッセージ録音の停止処理を行う（Ｓ２１０）。
【００３４】
音声メッセージ録音の停止処理後（Ｓ２１０）、着信電話機１は、録音した音声メッセージに対して検出したＤＴＭＦ信号をアラーム鳴動時刻（年月日時分）として設定する（Ｓ２１１）。
【００３５】
検出したＤＴＭＦ信号をアラーム鳴動時刻（年月日時分）として設定後（Ｓ２１１）、着信電話機１は、録音した音声メッセージと、ステップ２０２で取得した発信元電話番号と、ステップ２１１で設定した年月日時分を対応付けて記憶し（Ｓ２１２）、ステップ２０９へ遷移する。ステップ２０９以降の処理は、前述で説明した通りである。
【００３６】
アラーム設定された未再生の音声メッセージが音声メッセージ保存部１０６に記憶されていた場合（Ｓ２１３：Ｙｅｓ）、着信電話機１は、現時刻とステップ２１１で設定されたアラーム鳴動時刻が一致するか否か判定する（Ｓ２１４）。
現時刻とステップ２１１で設定されたアラーム鳴動時刻が一致しない場合（Ｓ２１４：Ｎｏ）、着信電話機１は、ステップ２０１へ移行する。現時刻とステップ２１１で設定されたアラーム鳴動時刻が一致する場合（Ｓ２１４：Ｙｅｓ）、着信電話機１は、後述するアラーム鳴動処理を行い（Ｓ２１５）、ステップ２０１へ移行し、着信待ちの状態となる。
【００３７】
留守録モードが起動していない場合（Ｓ２０３：Ｎｏ）、着信電話機１は、通常着信処理を行い（Ｓ２１６）、ステップ２０１へ移行し、着信待ちの状態となる。
【００３８】
図３は、本発明の着信電話機１のアラーム鳴動時の動作フローチャートである。本フローは、図２のステップ２１５において、アラーム鳴動時刻になった状態から開始する。
【００３９】
アラーム鳴動時刻になると、着信電話機１は、アラーム鳴動タイマを開始し（Ｓ２１５０１）、アラームの鳴動を開始する（Ｓ２１５０２）。
【００４０】
そして、着信電話機１は、着信電話機１の操作による音声メッセージの再生操作（Ｓ２１５０３）またはアラーム鳴動タイマの満了（Ｓ２１５０８）の何れかを待つ。
【００４１】
着信電話機１の操作により音声メッセージの再生操作を検出した場合（Ｓ２１５０３：Ｙｅｓ）、着信電話機１は、鳴動中のアラームを停止し（Ｓ２１５０４）、アラーム鳴動タイマを停止する（Ｓ２１５０５）。そして、着信電話機１は、当該音声メッセージの再生を行い（Ｓ２１５０６）、対応付けて保存しているアラーム鳴動設定を解除し（Ｓ２１５０７）、本フローを終了する。
【００４２】
当該アラーム鳴動タイマが満了した場合（Ｓ２１５０８：Ｙｅｓ）、着信電話機１は、鳴動中のアラームを停止する（Ｓ２１５０９）。
【００４３】
アラーム停止後（Ｓ２１５０９）、着信電話機１は、アラーム設定された当該音声メッセージに対応付けられた発信元電話番号の抽出を行い（Ｓ２１５１０）、発信元呼出継続時間である呼出タイマを開始する（Ｓ２１５１１）。そして、着信電話機１は、アラーム設定された当該音声メッセージに対応付けられた発信元電話番号への自動発信を行う（Ｓ２１５１２）。
【００４４】
着信電話機１は、発信元電話番号への自動発信後（Ｓ２１５１２）、発信電話機３が当該発信に応答する（Ｓ２１５１３）または当該呼出タイマが満了する（Ｓ２１５１５）の何れかを待つ。
【００４５】
発信電話機３が当該発信に応答した場合（Ｓ２１５１３：Ｙｅｓ）、着信電話機１は、発信電話機３に対して、アラーム設定された当該音声メッセージが未再生である旨の留守録未再生ガイダンスの送出を行い（Ｓ２１５１４）、当該発信に対する切断処理を行い（Ｓ２１５１６）、本フローを終了する。
【００４６】
当該呼出タイマが満了した場合（Ｓ２１５１５：Ｙｅｓ）、着信電話機１は、ステップ２１５１６へ遷移する。ステップ２１５１６以降の処理は、前述で説明した通りである。
【００４７】
以上、本発明を実施する形態について説明した。
【００４８】
本発明を実施する形態によれば、着信電話機１は、発信電話機３からの着信に対して端末制御部１０２が着信を検出すると、音声ガイダンス送出部１０４から操作ガイダンスを発信電話機３へ送出する。
【００４９】
これにより、発信電話機３はＤＴＭＦ信号によって、録音した音声メッセージに対応付けて、アラーム鳴動時刻、発信元電話番号を着信電話機１に記録することができる。
また、本発明を実施する形態によれば、着信電話機１は、アラーム設定された音声メッセージのアラーム鳴動時刻が到来すると、端末制御部１０２を介して呼出鳴動部１０９によってアラーム鳴動する。
【００５０】
これにより、着信電話機１は、未再生の音声メッセージがあることを通知することができる。
【００５１】
また、本発明を実施する形態によれば、着信電話機１は、アラーム設定された音声メッセージのアラーム鳴動時刻が到来し、規定時間内に音声メッセージが再生されないと、アラーム設定された音声メッセージに対応付けられた発信元電話番号へ自動発信を行い、音声ガイダンス送出部１０４を介して発信電話機３へ当該音声メッセージが未再生である旨のガイダンスを送出する。
【００５２】
これにより、着信電話機１は、発信電話機３に当該音声メッセージが再生されていないことを通知することができる。
【符号の説明】
【００５３】
１・・・着信電話機、２・・・電話網、３・・・発信電話機、１０１・・・通信制御部、１０２・・・端末制御部、１０３・・・発信元電話番号抽出部、１０４・・・音声ガイダンス送出部、１０５・・・ＤＴＭＦ検出部、１０６・・・音声メッセージ保存部、１０７・・・表示部、１０８・・・操作部、１０９・・・呼出鳴動部
【図１】
2016208141.tif 000003
【図２】
2016208141.tif 000004
【図３】
2016208141.tif 000005